(57)【特許請求の範囲】
【請求項１】
矩形で一方の主面に所定間隔で発光素子が複数配設される基板と、
前記基板に配設され、前記発光素子の光を所定方向に反射するリフレクタ部材と、
前記基板を支持するとともに、前記発光素子の光を所定方向に反射する位置に前記リフレクタ部材を保持するケース部材と、を具備する照明ユニットであって、
前記ケース部材は、
前記基板の他方の主面と所定の間隔で対面する底板部と、
前記基板の短手方向と略平行となるように前記底板部に所定間隔で立設され、前記基板を支持する基板支持リブと、を有し、
前記基板と前記底板部との間に形成されている空間部は、前記底板部の一方の長辺側と他方の長辺側で当該長辺に沿って当該照明ユニット外に開口していることを特徴とする照明ユニット。
【請求項２】
前記リフレクタ部材は、前記発光素子からの光を前記基板の略短手方向に照射する構造を有しており、
前記リフレクタ部材による光の反射方向の反対側において、前記底板部の長辺に沿う縁が前記基板の長辺に沿う縁よりも前記リフレクタ部材による光の反射方向側に位置していることを特徴とする請求項１に記載の照明ユニット。
【請求項３】
前記基板支持リブは、前記底板部の短手方向と所定角度で交差する方向に延在していることを特徴とする請求項１または請求項２に記載の照明ユニット。
【請求項４】
前記基板支持リブは、前記底板部の短手方向と所定角度で交差する略Ｖ字形の形状を有していることを特徴とする請求項１または請求項２に記載の照明ユニット。
【発明の詳細な説明】
【技術分野】
【０００１】
本発明は照明ユニットに関し、例えば、冷蔵・冷凍食品等をはじめとして、各種商品の陳列に用いられるオープンショーケース用照明等に用いられる照明ユニットに関する。
【背景技術】
【０００２】
従来、ショーケース等の陳列棚に陳列された物品の照明に用いられる照明用光源として、蛍光灯が使用されている。この照明用光源は、ショーケース等に陳列された各種の商品を照明し、その商品の商品価値を示す上で、重要な役割を有するものである。
【０００３】
近年、蛍光灯を用いた照明ユニットの代替照明ユニットとして、発光ダイオード等の半導体発光素子を光源として用いた照明ユニットが提案されている。例えば、ＬＥＤをアレイ状に表面に配置し、表裏面にＬＥＤの配線パターンを形成し、さらにＬＥＤに囲まれるように貫通孔が形成された基板を、有底筒状の筐体に、ＬＥＤアレイが筐体の開口面と平行になるように、また、筐体の内面と基板との間に間隙が形成されるように収容し、筐体の底部から排気を行う構造を有する照明ユニットが提案されている（例えば、特許文献１参照）。
【０００４】
このように複数のＬＥＤが集積配置された照明ユニットでは、ＬＥＤを発光させることによってＬＥＤが配設された基板の温度が上昇するため、この基板の温度上昇を抑制する手段が必要となる。特許文献１に開示された照明ユニットでは、基板に設けられた貫通孔を通る空気と、筐体の内面と基板との間の間隙を通る空気により、ＬＥＤを発光させる際の基板の温度上昇を抑制している。
【特許文献１】特開２００５−１０８５４４号公報（請求項１、図２等）
【発明の開示】
【発明が解決しようとする課題】
【０００５】
しかしながら、特許文献１に開示された照明ユニットでは、基板に設けられた貫通孔を通る空気はＬＥＤによる光の照射面から筐体の底部側に抜ける方向となる。そのため、ＬＥＤからの光によって暖められた空気によって基板を冷却する構造となるために、基板の温度上昇を、特に基板の中央部において、十分に抑制することができないおそれがある。また、基板の外周から筐体底部に取り込まれる空気は、基板の主面と直交する方向で筐体底部に向かって流入するため、基板中央部の裏面側（筐体底面側）に回りにくく、基板の温度上昇を十分に抑制することができないおそれがある。
【０００６】
本発明はかかる事情に鑑みてなされたものであり、複数の発光素子を備えた基板からの放熱を均一に行うことができる照明ユニットを提供することを目的とする。
【課題を解決するための手段】
【０００７】
本発明に係る照明ユニットは、矩形で一方の主面に所定間隔で発光素子が複数配設される基板と、前記基板に配設され、前記発光素子の光を所定方向に反射するリフレクタ部材と、前記基板を支持するとともに、前記発光素子の光を所定方向に反射する位置に前記リフレクタ部材を保持するケース部材と、を具備する照明ユニットであって、前記ケース部材は、前記基板の他方の主面と所定の間隔で対面する底板部と、前記基板の短手方向と略平行となるように前記底板部に所定間隔で立設され、前記基板を支持する基板支持リブと、を有し、前記基板と前記底板部との間に形成されている空間部は、前記底板部の一方の長辺側と他方の長辺側で当該長辺に沿って当該照明ユニット外に開口していることを特徴とする。
【０００８】
このような構成により、発光素子の発光によって基板の温度が上昇すると基板近傍の空気が暖められ、こうして暖められた空気は、基板とケース部材の底板との間に形成された空間部から基板の短手方向を利用して容易に排出されるために、均一に放熱を行うことができ、基板の温度を基板全体で均一に保持することができる。また、基板の温度が上昇している状態において、人が照明ユニットの設置状態を調整しようとしたときに、ケース部材の底板部によって、人が直接に加熱している基板に触れることが防止されるため、安全性が確保される。さらに、基板が複数の基板支持リブにより支持されている構造であるため、基板温度の変化や偏りによる撓み等の発生が抑制され、光の照射状態を良好に維持することができる。
【０００９】
前記リフレクタ部材は、前記発光素子からの光を前記基板の略短手方向に照射する構造を有しており、前記リフレクタ部材による光の反射方向の反対側において、前記底板部の長辺に沿う縁が前記基板の長辺に沿う縁よりも前記リフレクタ部材による光の反射方向側に位置していることを特徴とする。
【００１０】
このような構成によれば、基板とケース部材の底板部との間に形成された空間部の開口は、光の照射方向の反対側においては、底板部側で広く開口する。したがって、照明ユニットが、天井等の壁面からこの壁面に略直交する方向に光が照射されるように当該壁面近くに配置された場合にも、放熱性能を良好に確保することができる。
【００１１】
前記基板支持リブは、前記底板部の短手方向と所定角度で交差する方向に延在していることを特徴とする。
【００１２】
このような構成によれば、照明ユニットの長手方向（基板及び底板部の長手方向）が鉛直方向と平行になるように照明ユニットが配設された場合にも、基板支持リブの傾斜に沿って基板により暖められた空気は、基板と底板部との間に形成された空間から排出されるために、良好な放熱性が得られる。
【００１３】
前記基板支持リブは、前記底板部の短手方向と所定角度で交差する略Ｖ字形の形状を有していることを特徴とする。
【００１４】
このような構成によれば、照明ユニットが、その長手方向（基板及び底板部の長手方向）が鉛直方向と平行になるように配設された場合にも、基板支持リブの傾斜に沿って基板により暖められた空気は、基板と底板部との間に形成された空間から排出されるために、良好な放熱性が得られる。
【発明の効果】
【００１５】
本発明によれば、複数の発光素子を備えた基板からの放熱が均一かつ簡単に行われ、これにより基板の温度を基板全体で均一に保持することができる。また、人が加熱した基板に触れることができないため、安全性が確保される。さらに、基板温度の変化や偏りによる撓み等の発生が抑制されるため、光の照射状態を良好に維持することができる。
【発明を実施するための最良の形態】
【００１６】
以下、本発明の実施の形態について図面を参照しながら詳細に説明する。
【００１７】
《照明ユニット》
図１に本発明の一実施形態に係る照明ユニットの分解斜視図を示し、図２に照明ユニットの組立工程及び完成状態を示す斜視図を示す。また、図３に照明ユニットの背面斜視図を示す。
図１に示すように、照明ユニット１は、基板２と、リフレクタ部材３Ａ，３Ｂと、ケース部材４と、カバー部材５Ａ，５Ｂと、ホルダ部材６Ａ１，６Ａ２，６Ｂ１，６Ｂ２と、ブラケット７Ａ，７Ｂとを具備している。
【００１８】
基板２は、回路基板２１と放熱基板２２とが貼り合わされて構成されている。回路基板２１は矩形形状に形成され、一方の主面には、半導体発光素子２３ａを含む発光部２３が長手方向に所定間隔で複数配設されている。回路基板２１には、これらの半導体発光素子２３ａを発光させるための配線パターン（図示せず）が設けられており、さらに半導体発光素子２３ａを発光させるための各種素子（図示せず）が搭載されている。回路基板２１としては、半導体発光素子２３ａを発光させる際に生じる熱を効率よく放熱するために、熱伝導性の高い材料を用いることが好ましく、ガラスエポキシ基板やアルミ基板が好適に用いられる。
【００１９】
放熱基板２２は、例えば、アルミニウムや銅，鉄，ステンレス等の熱伝導率の高い金属材料により構成されている。放熱基板２２の長手方向の両端にはそれぞれ、一対のホルダ部材６Ａ１，６Ａ２及び一対のホルダ部材６Ｂ１，６Ｂ２と係合させるために、放熱基板２２の長手方向の外側に向けて拡径する台形形状の第１係合突起２２ａ，２２ｂが設けられている。また、放熱基板２２におけるカバー５Ａ側の長辺端縁（以下「前側端縁」という）２５近傍には、カバー部材５Ａ，５Ｂと嵌合するための嵌合口２５ａ，２５ｂ，２５ｃ，２５ｄが設けられている。
【００２０】
基板２においては、回路基板２１と放熱基板２２とが熱伝導性シート（図示せず）を介して接合されていることが好ましい。熱伝導性シートは、例えば、１Ｗ／（ｍ・Ｋ）程度以上の熱伝導率を有し、かつ、絶縁性のものが好ましい。これにより、回路基板２１と放熱基板２２との導通を防止し、発光部２３の間の絶縁性が保持されるとともに、半導体発光素子２３ａから発生する熱を効率的に放熱することができる。熱伝導性シートしては、例えば、シリコーンゴム等を用いることができる。熱伝導性シートを用いる場合、その厚み、形状および大きさ等は、照明ユニット１の大きさや形状等を考慮して適宜調整することができるが、回路基板２１と略同じ形状と同じ大きさとすることが好ましい。
【００２１】
なお、基板２は、回路基板２１と放熱基板２２とが一体的に構成された構造であってもよく、この場合には、熱伝導性に優れた材料からなるものを用いることが好ましい。放熱基板２２の下面は、放熱性を高める観点から、表面が粗化されていてもよいし、または、凹凸等が形成されていてもよい。
【００２２】
発光部２３は、基板２の上面に等間隔で配置されていることが好ましい。これにより、均一な光の分布を実現することができるとともに、半導体発光素子２３ａから発生する熱の分布を均等にすることができる。
【００２３】
発光部２３は、１個または複数個の半導体発光素子２３ａを含む。半導体発光素子２３ａとしては、基板２の上方側から観測した際の配光が略ランバート分布配光となる構造のものが好適に用いられる。これにより、輝度ムラが少なく、高効率でグレアの少ない照明ユニット１とすることができる。特に、ＲＢＧに対応した光を発光する半導体発光素子２３ａを用いることにより、単色の半導体発光素子を用いる場合よりも、混色性を向上させることができる。半導体発光素子２３ａは、照明ユニット１の使用目的に適した光を発光するものであれば特に限定されるものではない。
【００２４】
なお、発光部２３は、半導体発光素子２３ａ自体であってもよく、パッケージや被覆部材等により覆われていてもよい。パッケージや被覆部材として、波長変換部材（例えば、蛍光体等）又は拡散剤等を含有する部材を用いてもよい。
【００２５】
リフレクタ部材３Ａ，３Ｂは、半導体発光素子２３ａの光を所定の方向に反射するものである。そして、リフレクタ部材３Ａ，３Ｂは、ここでは、回路基板２１の約半分の長さを有しており、基板２の長手方向に並べて基板２上に配置される。なお、リフレクタ部材３Ａ，３Ｂは同じ構造であるため、その一方のリフレクタ部材３Ａの構造について説明する。
【００２６】
図１に示すように、このリフレクタ部材３Ａは、リフレクタ部材３Ａの長手方向両端に設けられ、基板２と略垂直に配置される略１／４円状の形状を有する側板３６ａ，３６ｂと、側板３６ａ，３６ｂの略円弧に沿って基板２の上面を覆い、側板３６ａ，３６ｂにおいて基板２と直交する辺を結ぶ面で開口するリフレクタドーム部３２ａと、リフレクタドーム部３２ａの内面側において各発光部２３に対応して各発光部２３の間に突出して設けられているサイドリフレクタ３８ａを備えている。
【００２７】
リフレクタ部材３Ａの内面、すなわち、側板３６ａ，３６ｂの内側面とリフレクタドーム部３２ａの内面とサイドリフレクタ３８ａの表面は、発光部２３に設けられる半導体発光素子２３ａから発光される光を反射する反射鏡面となっている。リフレクタ部材３Ａでは、リフレクタドーム部３２ａの内面は複数の反射鏡面が組み合わされて、マルチリフレクタ（図示せず）が構成されている。また、リフレクタ部材３Ａでは、サイドリフレクタ３８ａにより、各発光部２３から基板２の長手方向に向かう非利用光を、照明ユニット１の前面側へ反射して、効率的に出射させることができるようになっている。
【００２８】
リフレクタ部材３Ａはまた、放熱基板２２の前側端縁２５と係合させるために側板３６ａ，３６ｂに設けられた係合爪３１ａ，３１ｂと、ケース部材４との係合のためにリフレクタドーム部３２ａの長手方向に沿ってその背面に設けられた係合突条部３３ａと、カバー５Ａとの係合のためにリフレクタドーム部３２ａの開口上端において開口面と略平行で長手方向に延在する突条部４０ａを備えている。
【００２９】
リフレクタ部材３Ｂは、リフレクタ部材３Ａと同様に、側板３６ｃ，３６ｄと、リフレクタドーム部３２ｂと、サイドリフレクタ３８ｂと、係合爪３１ｃ，３１ｄと、係合突条部３３ｂと、突条部４０ｂを備えている。これら各部の機能等については先にリフレクタ部材３Ａについて説明した通りであるので、ここでの説明は省略する。
【００３０】
リフレクタ部材３Ａ，３Ｂとしては、例えば、ＡＢＳやポリカーボネート，アクリル等の樹脂成型品に光反射性の高い金属膜（例えば、Ａｌ膜等）を蒸着又はめっきして前記反射鏡面を形成したものや、Ａｌ等の金属プレス品に光反射性の高い金属膜を蒸着又はめっきして前記反射鏡面を形成したもの、或いは、前記した反射鏡面となる高反射性膜を形成済みのＡｌ板材等をプレス加工したもの等が好適に用いられる。
【００３１】
ケース部材４は、基板２を支持するとともに、リフレクタ部材３Ａ，３Ｂを保持するものである。ケース部材４には、例えば、ＡＢＳやポリカーボネート，アクリル等の樹脂を用いることができる。図１に示されるように、このケース部材４は、リフレクタ部材３Ａ，３Ｂの係合突条部３３ａ，３３ｂと係合するリフレクタ保持部４１を備えている。例えば、リフレクタ保持部４１は、後に図５に示すように、上端舌辺４２ａとの下端舌辺４２ｂの間に係合突条部３３ａ，３３ｂが挟み込まれて保持される構造とすることができ、こうしてリフレクタ部材３Ａ，３Ｂがケース部材４に保持される。
【００３２】
なお、リフレクタ部材３Ａ，３Ｂに設けられた係合突条部３３ａ，３３ｂは、リフレクタ部材３Ａ，３Ｂのリフレクタドーム部３２ａの長手方向の全幅にわたって設けられていてもよい。また、係合突条部３３ａ，３３ｂは、図１及び図２に示す後方に向けて突出した形状に限られるものではない。すなわち、リフレクタ部材３Ａ，３Ｂの背面に突設される係合突条部３３ａ，３３ｂの形状とケース部材４に設けられるリフレクタ保持部４１の形状は、適宜、係合又は嵌合するように、決定することができる。
【００３３】
ケース部材４はまた、基板２の下面側を支持する略矩形の基板支持リブ４３ａ，４３ｂ，４３ｃ，４３ｄ，４３ｅが底板部４７に基板２の長手方向と直交するように立設された構造を有している。両端の基板支持リブ４３ａ，４３ｅがケース部材４の側端を形成する。基板支持リブ４３ａ，４３ｂ，４３ｃ，４３ｄ，４３ｅは、その上面４４が、内背面に設けられた支持面４５とともに面一に形成され、基板２の下面側を支持する。なお、リフレクタ保持部４１は基板支持リブ４３ａ，４３ｂ，４３ｃ，４３ｄ，４３ｅとつながっている。
【００３４】
図２（ｄ）及び図３に示されるように、基板２が基板支持リブ４３ａ，４３ｂ，４３ｃ，４３ｄ，４３ｅに支持されている状態においては、ケース部材４の底板部４７が基板２の下面を保護するために、例えば、照明ユニット１の使用中に照明ユニット１の調整等を行おうとして作業者が照明ユニット１にアクセスしても、作業者は温度が上昇した基板２に直接に触れることがない。また、基板２と底板部４７との間に空間部７１が形成され、この空間部７１から効率的に放熱を行うことができる。この基板２からの放熱形態については、後に図５を参照して詳細に説明する。
【００３５】
図１及び図２に示すように、ケース部材４の長手方向の両端には、ケース部材４の長手方向の外方に向けて拡径する台形状の第２係合突起４６ａ，４６ｂが設けられている。第２係合突起４６ａ，４６ｂの平面形状は、放熱基板２２に設けられている第１係合突起２２ａ，２２ｂと実質的に同じである。
【００３６】
カバー部材５Ａ，５Ｂは、基板２の表面とリフレクタ部材３Ａ，３Ｂの内面を保護し、発光部２３、リフレクタ部材３Ａ，３Ｂ及びサイドリフレクタ３８ａからの照射光を均一にするとともに、基板２とリフレクタ部材３Ａ，３Ｂとを堅牢に掴持するものである。図１に示すように、カバー部材５Ａ，５Ｂは同じ形状を有しており、カバー部材５Ａはリフレクタ部材３Ａの開口面を覆い、カバー部材５Ｂはリフレクタ部材３Ｂの開口面を覆う。
【００３７】
カバー部材５Ａ，５Ｂはそれぞれ、下端辺に基板２の前側端縁２５に係合する下係合部５１Ａ，５１Ｂを備え、また、上端辺にリフレクタ部材３Ａ，３Ｂの突条部４０ａ，４０ｂと係合する上係合部５２Ａ，５２Ｂを備えている。下係合部５１Ａ，５１Ｂの各両端には、放熱基板２２に形成された嵌合口２５ａ，２５ｂ，２５ｃ，２５ｄに放熱基板２２の下面側からそれぞれ嵌合する４つの嵌合爪（２つを図示せず、嵌合爪５３ｂ，５３ｄを図示する）が設けられている。また、上係合部５２Ａ，５２Ｂの各両端には、リフレクタ部材３Ａ，３Ｂの突条部４０ａ，４０ｂと係合する４つの係合爪（２つを図示せず、係合爪５５ｂ，５５ｄのみを図示する）が設けられている。
【００３８】
カバー部材５Ａ，５Ｂは、半導体発光素子２３ａからの光を透過することが可能な材料であれば特に限定されず、また、用途によって透光性の異なるものを用いることができる。例えば、遠方まで届く強い光が必要な場合には、高い透光性を有し、軽量で強度が大きく、さらに加工性と耐熱性に優れたポリカーボネートやアクリル等の樹脂材料によって構成されていることが好ましい。一方、カバー部材５Ａ，５Ｂを面光源として柔らかな光を照射したい場合には、カバー部材５Ａ，５Ｂとして光拡散効果を有する半透明や乳白色のものを用いることができる。例えば、光拡散効果は、カバー部材５Ａ，５Ｂの正面側（外側）または背面側（内側）に光拡散シート（例えば、半透明の薄いシート等）を貼り付けたり、カバー部材５Ａ，５Ｂの正面側または背面側にサンドブラスト等による粗面処理を施したりすることにより、得ることができる。
【００３９】
ホルダ部材６Ａ１，６Ａ２，６Ｂ１，６Ｂ２は、基板２とケース部材４を保持するものである。図１に示されるように、ホルダ部材６Ａ１，６Ａ２，６Ｂ１，６Ｂ２は全て、半円柱状で実質的に同じ形状を有している。一対のホルダ部材６Ａ１，６Ａ２により１個の円柱状のホルダが形成され、一対のホルダ部材６Ｂ１，６Ｂ２により１個の円柱状のホルダが形成される。ホルダ部材６Ａ１，Ａ２の着接面にはそれぞれ、第１係合突起２２ａと第２係合突起４６ａを収容するための台形状溝６ａ，６ｂが形成されている。ホルダ部材６Ｂ１，６Ｂ２着接面にはそれぞれ、第１係合突起２２ｂと第２係合突起４６ｂを収容するための台形状溝６ａ，６ｂが形成されている。ホルダ部材６Ａ１，６Ａ２の外周中央部には環状溝９ａが形成されており、ホルダ部材６Ｂ１，６Ｂ２の外周中央部には環状溝９ｂが形成されている。
【００４０】
ブラケット７Ａ，７Ｂは、ホルダ部材６Ａ１，６Ａ２，６Ｂ１，６Ｂ２とともに、照明ユニット１の回転機構を構成する。ブラケット７Ａ，７Ｂは実質的に同じ構造であり、ラケット７部材Ａはホルダ部材６Ａ１，６Ａ２を嵌合収容するための受け穴部８ａを備え、受け穴部８ａの内周面の中央部には凸部１０ａが形成されている。同様に、ラケット部材７Ｂはホルダ部材６Ｂ１，６Ｂ２を嵌合収容するための受け穴部（図示せず）を備え、この受け穴部の内周面の中央部には凸部（図示せず）が形成されている。
【００４１】
ホルダ部材６Ａ１，６Ａ２がブラケット７Ａの受け穴部８ａに嵌合収容されると、ホルダ部材６Ａ１，６Ａ２の外周と受け穴部８ａの内周面との間に摩擦が生じ、この摩擦力を利用して、ホルダ部材６Ａ１，６Ａ２をブラケット７Ａに対して回転させることができ、また、受け穴部８ａにおいて安定に係止される。このとき、ホルダ部材６Ａ１，６Ａ２がブラケット７Ａの受け穴部８ａに嵌合収容されると、凸部１０ａは環状溝９ａに収容され、ホルダ部材６Ａ１，６Ａ２の受け穴部８ａからの脱落が防止されるようになっている。ホルダ部材６Ｂ１，６Ｂ２がブラケット７Ｂの受け穴部（図示せず）に嵌合収容された場合も同様であり、ホルダ部材６Ｂ１，６Ｂ２はブラケット７Ｂに収容された状態でブラケット７Ｂに対して回転自在かつ係止自在となっている。
【００４２】
ブラケット７Ａ，７Ｂはまた、照明ユニット１を所定の構造物に装着するためのものである。図１に示すように、ブラケット７Ａは所定の構造物に装着するための装着部１１ａ１，１１ａ２を備えており、ブラケット７Ｂは所定の構造物に装着するための装着部１１ｂ１，１１ｂ２を備えている。装着部１１ａ１，１１ａ２はバネ性を有しており、例えば、所定の構造物は装着部１１ａ１，１１ａ２の形状と相補する嵌着部位を備えており、ブラケット７Ａをその嵌着部位に装着する際には、装着部１１ａ１，１１ａ２の先端同士が近寄るように撓んだ状態で嵌着部位に挿入された後、この撓みを解消することにより、装着部１１ａ１，１１ａ２が嵌着部位に嵌合する。装着部１１ｂ１，１１ｂ２についても同様である。
【００４３】
次に照明ユニット１の組立方法について、主に図２を参照しながら説明する。最初に、図２（ａ）に示されるように、回路基板２１と放熱基板２２を貼り合わせて基板２を構成し、基板２にリフレクタ部材３Ａ，３Ｂを取り付ける。基板２へのリフレクタ部材３Ａ，３Ｂの取り付けは、リフレクタ部材３Ａの側板３６ｂとリフレクタ部材３Ｂの側板３６ｃとが近接するようにリフレクタ部材３Ａ，３Ｂを長手方向に並べて、係合爪３１ａ，３１ｂ，３１ｃ，３１ｄを、基板２の前側端縁２５に係合させることによって行う。
【００４４】
続いて、図２（ｂ）に示すように、リフレクタ部材３Ａ，３Ｂを取り付けた基板２を、ケース部材４に取り付ける。より具体的には、基板２の下面側（放熱基板２２側）をケース部材４の基板支持リブ４３ａ，４３ｂ，４３ｃ，４３ｄ，４３ｅの上面４４の上に置き、前面側からケース部材４の奥に向けて基板２とリフレクタ部材３Ａ，３Ｂを突き入れる。これによって、基板２の下面側がケース部材４の基板支持リブ４３ａ，４３ｂ，４３ｃ，４３ｄ，４３ｅの上面４４及び支持面４５に支持され、基板２の下面とケース部材４の底板部４７との間に空間部７１が形成される（図２（ｄ）、図３参照）。また、リフレクタ部材３Ａ，３Ｂに設けられた係合突条部３３ａ，３３ｂが、リフレクタ保持部４１に挟持される。さらに、第１係合突起２２ａと第２係合突起４６ａが重なり（図２（ｂ）に図示せず）、第１係合突起２２ｂと第２係合突起４６ｂが重なる。
【００４５】
次に、図２（ｃ）に示すように、基板２とケース部材４とが外れないように、重なった第１係合突起２２ａと第２係合突起４６ａ（それぞれ図２（ｃ）に図示せず）を、一対のホルダ部材６Ａ１，６Ａ２で挟み、ホルダ部材６Ａ１，６Ａ２にそれぞれ設けられた台形状溝６ａ，６ｂが組み合わされてなる孔部に収容する。その後、ホルダ部材６Ａ１，６Ａ２をブラケット７Ａの受け穴部８ａに係止させる。これと同様に、重なった第１係合突起２２ｂと第２係合突起４６ｂを、一対のホルダ部材６Ｂ１，６Ｂ２で挟み、ホルダ部材６Ｂ１，６Ｂ２にそれぞれ設けられた台形状溝６ａ，６ｂが組み合わされてなる孔部に収容する。その後、ホルダ部材６Ｂ１，６Ｂ２をブラケット７Ｂの受け穴部（図示せず）に係止させる。
【００４６】
続いて、図２（ｃ）に示されるように、カバー部材５Ａ，５Ｂのそれぞれの下係合部５１Ａ，５１Ｂを基板２の前側端縁２５に係合し、上係合部５２Ａ，５２Ｂをリフレクタ部材３Ａ，３Ｂの突条部４０ａ，４０ｂに係合させる。より具体的には、下係合部５１Ａ，５１Ｂに設けられた４つの嵌合爪（２つを図示せず、嵌合爪５３ｂ，５３ｄを図示する）を、放熱基板２２に設けられた嵌合口２５ａ，２５ｂ，２５ｃ，２５ｄに嵌合させ、上係合部５２Ａ，５２Ｂに設けられた４つの係合爪（２つを図示せず、係合爪５５ｂ，５５ｄを図示する）をリフレクタ部材３Ａ，３Ｂの突条部４０ａ，４０ｂと係合させる。
【００４７】
このようにして、リフレクタ部材３Ａ，３Ｂの開口面（照射面）にカバー部材５Ａ，５Ｂが装着されることによって、リフレクタ部材３Ａ，３Ｂと基板２とが緊密に固着され、図２（ｄ）及び図３に示される照明ユニット１が組み立てられる。このように、照明ユニット１の組立は、ネジ等の固定用部材を使用することなく、各所に設けた係合部等によって相互の部材を係合，係止することによって、簡便かつ容易に行うことができる。しかも、組立後は、相互の部材の係合・係止によって、各構成部材を相互に結合させることによって、長期間に亘って構成部品の結合強度を維持することができる。
【００４８】
《照明ユニットの使用例と基板からの放熱の形態》
図４（ａ）に本発明に係る照明ユニットを備えたショーケースの概略斜視図を示し、図４（ｂ）にショーケースにおける照明光の配光状態を模式的に表した図を示す。また、図５に照明ユニットからの放熱状態を模式的に表した図を示す。ショーケース６０は、上下方向に設けられた複数（４枚）の光透過性の陳列棚６１と、底部に設けられた陳列部６２を有している。ショーケース６０の上前端部６３の内側に、長手方向に沿って複数個の照明ユニット１が配列されている。
【００４９】
ショーケース６０において、図４（ｂ）に示すように、上前端部６３の内側に取り付けられた照明ユニット１から出射された光Ｒは、陳列棚６１と陳列部６２に配光される。照明ユニット１においては、ブラケット７Ａ，７Ｂとホルダ部材６Ａ１，６Ａ２，６Ｂ１，６Ｂ２との間に生じる摩擦力を利用し、ホルダ部材６Ａ１，６Ａ２とホルダ部材６Ｂ１，６Ｂ２とを結ぶ軸を回転軸として、光の出射方向（すなわち、カバー部材５Ａ，５Ｂ（図４に図示せず。図２（ｄ）等参照。）の向き）を任意に調節し、保持することができる。例えば、ケース部材４の底板部４７部分とカバー部材５Ａ，５Ｂの上係合部５２Ａ，５２Ｂ部分を手で掴み、一定角度回転させることによって光Ｒの出射方向を変え、光Ｒの出射方向が決まった時点で手を離せば、所望する配光状態が容易に得られる。
【００５０】
このとき、図５（適宜、図３参照）に示されるように、基板２（放熱基板２２）の下面はケース部材４の底板部４７で覆われているために、加熱した基板２に人が直接に触れることはなく、安全性が確保されている。また、基板２とケース部材４の底板部４７との間に空間部７１が形成されており、この空間部７１が基板２の両方の長辺側で開口している。これにより、基板２によって空間部７１内の暖められた空気は、自然対流によって基板２の短手方向を通って容易に空間部７１の外部に排出される。こうして基板２の温度上昇を抑制することができる。基板支持リブ４３ｂ，４３ｃ，４３ｄは、基板２の短手方向と平行に設けられているため、基板２からの放熱を妨げることはなく、しかもケース部材４の強度を高めることができる。
【００５１】
図５に示されるように、照明ユニット１が上前端部６３の内側において上前端部６３に近接して配置され、空間部７１における上前端部６３側の開口面が上前端部６３に近接する場合には、空間部７１に熱がこもらないように、ケース部材４の上前端部６３側の開口面を、底板部４７側に空間部７１が大きく開口するテーパ開口面７２とすることが好ましい。すなわち、照明ユニット１の光照射方向（つまり、リフレクタ部材３Ａ，３Ｂによる光の反射方向）の反対側において、底板部４７の長辺に沿う縁を基板２の長辺に沿う縁よりも照明ユニット１の光照射方向側に位置させている。これにより、基板２の短手方向のみならず、基板２と対面する方向への放熱経路を確保することができる。こうして、基板２の過度の温度上昇による撓みの発生や、基板２に撓みが生じることによってリフレクタ部材３Ａ，３Ｂによる集光のための光軸にずれが生じることを防止することができる。
【００５２】
照明ユニット１は、図４（ａ）、（ｂ）に示すようにその長手方向が水平方向となるように配設されるとは限らない。そのため、照明ユニット１を取り付ける位置や環境に応じて、ケース部材４に設ける基板支持リブ４３ｂ，４３ｃ，４３ｄの形態を変えることも好ましい。図６（ａ）に照明ユニットに用いられる別のケース部材の概略斜視図を示し、図６（ｂ）に照明ユニットに用いられるさらに別のケース部材の概略斜視図を示す。
【００５３】
ケース部材４Ａは、ケース部材４の基板支持リブ４３ｂ，４３ｃ，４３ｄに代えて、図６（ａ）に示すように、底板部４７の短手方向と一定角度で交差する方向に延在する基板支持リブ７４ａ，７４ｂ，７４ｃを備えている。ケース部材４Ｂは、ケース部材４の基板支持リブ４３ｂ，４３ｃ，４３ｄに代えて、図６（ｂ）に示すように、底板部４７の短手方向と一定角度で交差するＶ字形の基板支持リブ７５ａ，７５ｂ，７５ｃを備えている。
【００５４】
ケース部材４Ａ，４Ｂを用いてなる照明ユニットは、第２係合突起４６ａが鉛直方向の上側に、第２係合突起４６ｂが鉛直方向の下側に位置するように配設される際に好適に用いられ、基板２により熱せされた空気は、基板支持リブ７４ａ，７４ｂ，７４ｃ，７５ａ，７５ｂ，７５ｃに沿って上昇し、照明ユニット外へ排出される。このように、基板２（図６には図示せず）によって暖められた空気が基板２の長手方向に沿って上昇する距離を短くすることにより、基板２の放熱性を高めることができる。
【００５５】
以上、本発明の実施の形態について説明したが、本発明は前記した実施の形態に限定されるものではない。例えば、基板２を支持する基板支持リブは、ケース部材４に設けられていなければならないわけではなく、放熱基板２２の下面に立設された放熱フィンを設け、この放熱フィンを基板支持リブとして、ケース部材４の底板部４７に接触させる構造としてもよい。この放熱フィンにより放熱面積が増え、さらに放熱性が高められる。また、照明ユニット１がその長手方向を水平方向とする水平設置か、その長手方向を鉛直方向とする鉛直設置か不明である場合に対処するために、例えば、基板支持リブの長手方向を底板部４７の短手方向に対して任意に調節することができるルーバ構造としてもよい。
【００５６】
また、本発明に係る照明ユニット１は、ショーケースに限定して用いられるわけではなく、例えば、屋内外の各種直接照明や間接照明、屋外看板表示用照明等として用いることができる。
【図面の簡単な説明】
【００５７】
【図１】本発明の一実施形態に係る照明ユニットの分解斜視図である。
【図２】照明ユニットの組立工程及び完成状態を示す斜視図である。
【図３】照明ユニットの背面斜視図である。
【図４】（ａ）は照明ユニットを備えたショーケースの概略斜視図であり、（ｂ）はショーケースにおける照明光の配光状態を模式的に示す図である。
【図５】照明ユニットからの放熱状態を模式的に示した図である。
【図６】（ａ）は照明ユニットに用いられる別のケース部材の概略斜視図であり、（ｂ）は照明ユニットに用いられるさらに別のケース部材の概略斜視図である。
【符号の説明】
【００５８】
１      照明ユニット
２      基板
３Ａ，３Ｂ      リフレクタ部材
４，４Ａ，４Ｂ      ケース部材
５Ａ，５Ｂ      カバー部材
６ａ，６ｂ      台形状溝
６Ａ１，６Ａ２，６Ｂ１，６Ｂ２      ホルダ部材
７Ａ，７Ｂ      ブラケット
８ａ      受け穴部
９ａ，９ｂ      環状溝
１０ａ      凸部
１１ａ１，１１ａ２，１１ｂ１，１１ｂ２      装着部
２１      回路基板
２２      放熱基板
２２ａ，２２ｂ    第１係合突起
２３      発光部
２３ａ    半導体発光素子
２５      前側端縁  
２５ａ，２５ｂ，２５ｃ，２５ｄ      嵌合口
３１ａ，３１ｂ，３１ｃ，３１ｄ      係合爪
３２ａ，３２ｂ      リフレクタドーム部
３３ａ，３３ｂ      係合突条部
３６ａ，３６ｂ，３６ｃ，３６ｄ      側板
３８ａ，３８ｂ      サイドリフレクタ
４０ａ，４０ｂ  突条部
４１      リフレクタ保持部
４２ａ      上端舌辺
４２ｂ      下端舌辺
４３ａ，４３ｂ，４３ｃ，４３ｄ，４３ｅ      基板支持リブ
４４      上面
４５      支持面
４６ａ，４６ｂ      第２係合突起
４７      底板部
５１Ａ，５１Ｂ      下係合部
５２Ａ，５２Ｂ      上係合部
５３ｂ，５３ｄ      嵌合爪
５５ｂ，５５ｄ      係合爪
６０      ショーケース
６１      陳列棚
６２      陳列部
６３      上前端部
７１      空間部
７２      テーパ開口面
７４ａ，７４ｂ，７４ｃ      基板支持リブ
７５ａ，７５ｂ，７５ｃ      基板支持リブ
【図１】
0005109650.tif 000002
【図２】
0005109650.tif 000003
【図３】
0005109650.tif 000004
【図４】
0005109650.tif 000005
【図５】
0005109650.tif 000006
【図６】
0005109650.tif 000007